(57)【要約】【課題】  ダイニングテーブルのレイアウトを実質的に制限することなく、且つダイニング側から炊飯器やポットなどへのアクセスが容易な間仕切りカウンター。【解決手段】  本発明の間仕切りカウンター１０は、例えばキッチンとダイニングとの間に配置され、キッチンに向かって第１方向に引き出し可能な第１可動テーブル（３ａ）と、ダイニングからキッチンへの通路に向かって第２方向に引き出し可能な第２可動テーブル（３ｂ）とを備えている。【選択図】  図３
2007229022.tif 000002
【特許請求の範囲】
【請求項１】
第１方向に沿って引き出し可能な第１可動テーブルと、
前記第１方向とは異なる第２方向に沿って引き出し可能な第２可動テーブルとを備えていることを特徴とする間仕切りカウンター。
【請求項２】
前記間仕切りカウンターは、キッチンとダイニングとの間に配置されていることを特徴とする請求項１に記載の間仕切りカウンター。
【請求項３】
前記第１可動テーブルは、前記キッチンに向かって引き出し可能に構成され、
前記第２可動テーブルは、前記ダイニングから前記キッチンへの通路に向かって引き出し可能に構成されていることを特徴とする請求項２に記載の間仕切りカウンター。
【請求項４】
前記第１可動テーブルと壁面との間に配置されて、前記キッチン側からのみアクセス可能な収納部をさらに備えていることを特徴とする請求項２または３に記載の間仕切りカウンター。
【発明の詳細な説明】
【技術分野】
【０００１】
本発明は、間仕切りカウンターに関し、例えばキッチンとダイニングとの間に配置される間仕切りカウンターに関するものである。
【背景技術】
【０００２】
従来、キッチンとダイニングとの間に配置されて間仕切り機能とカウンター機能とを併せ持つ間仕切りカウンターが知られている。間仕切りカウンターには、例えば炊飯器やポットのような家電機器が収納される。
【発明の開示】
【発明が解決しようとする課題】
【０００３】
この場合、間仕切りカウンターの影響によりダイニングテーブルのレイアウトが制限されないように、例えば炊飯器やポットがキッチン側からのみアクセス可能に構成されていると、食事中にはダイニング側からキッチン側へ回り込んで炊飯器やポットなどにアクセスし、炊飯器からよそったご飯やポットから取り出したお湯などをキッチン側からダイニング側へ回り込んでダイニングテーブルへ持ち帰る必要がある。
【０００４】
本発明は、前述の課題に鑑みてなされたものであり、例えばキッチンとダイニングとの間に配置されたときに、ダイニングテーブルのレイアウトを実質的に制限することなく、且つダイニング側から炊飯器やポットなどへのアクセスが容易な間仕切りカウンターを提供することを目的とする。
【課題を解決するための手段】
【０００５】
前記課題を解決するために、本発明では、第１方向に沿って引き出し可能な第１可動テーブルと、
前記第１方向とは異なる第２方向に沿って引き出し可能な第２可動テーブルとを備えていることを特徴とする間仕切りカウンターを提供する。
【０００６】
本発明の好ましい態様によれば、前記間仕切りカウンターは、キッチンとダイニングとの間に配置されている。また、前記第１可動テーブルは、前記キッチンに向かって引き出し可能に構成され、前記第２可動テーブルは、前記ダイニングから前記キッチンへの通路に向かって引き出し可能に構成されていることが好ましい。また、前記第１可動テーブルと壁面との間に配置されて、前記キッチン側からのみアクセス可能な収納部をさらに備えていることが好ましい。
【発明の効果】
【０００７】
本発明の間仕切りカウンターは、例えばキッチンとダイニングとの間に配置され、第１方向に沿って引き出し可能な第１可動テーブルと、第１方向とは異なる第２方向に沿って引き出し可能な第２可動テーブルとを備えている。具体的には、第１可動テーブルはキッチンに向かって引き出し可能に構成され、第２可動テーブルはダイニングからキッチンへの通路に向かって引き出し可能に構成されている。
【０００８】
したがって、例えば第１可動テーブルにポットを載置し、第２可動テーブルに炊飯器を載置すると、ポットにアクセスするために第１可動テーブルをキッチンに向かって引き出しても、炊飯器にアクセスするために第２可動テーブルをダイニングからキッチンへの通路に向かって引き出しても、これらの引き出し動作がダイニングテーブルのレイアウトを実質的に制限することはない。
【０００９】
また、ダイニングからキッチンへの通路に向かって引き出し可能な第２可動テーブルに炊飯器を載置すると、食事中にダイニング側からキッチン側へ回り込まなくても、ダイニング側から直接（例えばダイニングテーブルに座ったまま）第２可動テーブルを引き出して炊飯器からご飯をよそうことができる。同様に、ダイニングからキッチンへの通路に向かって引き出し可能な第２可動テーブルにポットを載置すると、食事中にダイニング側からキッチン側へ回り込まなくてもダイニング側から直接第２可動テーブルを引き出してポットからお湯を取り出すことができる。
【００１０】
このように、本発明では、例えばキッチンとダイニングとの間に配置されたときに、ダイニングテーブルのレイアウトを実質的に制限することなく、且つダイニング側から炊飯器やポットなどへのアクセスが容易な間仕切りカウンターを実現することができる。
【００１１】
なお、本発明では、第１可動テーブルと壁面との間に配置されてキッチン側からのみアクセス可能な収納部をさらに備えていることが好ましい。この場合、収納部の開閉方式（引き出し方式、片開き方式、両開き方式など）にかかわらず、収納部の開閉動作がダイニングテーブルのレイアウトを制限することがなく、且つ例えば炊飯器やポットのような家電機器以外のものを収納するための十分な空間を確保することができる。
【発明を実施するための最良の形態】
【００１２】
本発明の実施形態を、添付図面に基づいて説明する。図１は、本発明の実施形態にかかる間仕切りカウンターがキッチンとダイニングとの間に配置されている様子を示す斜視図である。図１に示すように、本実施形態では、キッチンとダイニング（不図示）との間に配置された間仕切りカウンター１０に対して本発明を適用している。
【００１３】
本実施形態のキッチンは、床Ｆの上に載置されたベースキャビネットＢＣを備えている。ベースキャビネットＢＣの上部には、キッチンに向かって左側から加熱調理部（ＩＨコンロ、ガスコンロなど）１１と、一対のカウンター１２ａおよび１２ｂとが設けられ、この一対のカウンター１２ａと１２ｂとの間にシンク１３が設けられている。また、シンク１３に隣接して、たとえば湯水混合型の水栓１４が設けられている。
【００１４】
また、加熱調理部１１の上方にはレンジフード１５が第１壁面Ｗ１と第２壁面Ｗ２とがなす隅角部において第１壁面Ｗ１に取り付けられ、このレンジフード１５とほぼ高さに整列するようにウォールキャビネットＷＣが第１壁面Ｗ１に取り付けられている。本実施形態の間仕切りカウンター１０は、その端面が第２壁面Ｗ２に接するように配置され、ウォールキャビネットＷＣとほぼ平行に細長く延びている。
【００１５】
図２は、本実施形態にかかる間仕切りカウンターの構成を概略的に示す斜視図である。図３は、図２の状態から可動テーブルを引き出した様子を示す斜視図である。図４は、図３の状態から可動テーブルに家電機器を載置した様子を示す斜視図である。図５は、図４の状態から家電機器の載置された可動テーブルを元の収納位置へ押し戻した様子を示す斜視図である。
【００１６】
図２〜図５を参照すると、本実施形態にかかる間仕切りカウンター１０は、所定の高さ位置に設けられた細長い矩形状のカウンター面１を備えている。カウンター面１の下部には、キッチン側から見て右側から、引き出し収納部２と、可動テーブル部３とが設けられている。引き出し収納部２は、その側面が第２壁面Ｗ２に接し、上段引き出し収納部２ａと中段引き出し収納部２ｂと下段引き出し収納部２ｃとを備え、これらの収納部２ａ〜２ｃはキッチン側からのみアクセス可能に構成されている。
【００１７】
可動テーブル部３は、キッチンに向かって引き出し可能に構成された第１可動テーブル３ａと、ダイニングからキッチンへの通路に向かって引き出し可能に構成された第２可動テーブル３ｂと、カウンター面１の直下に取り付けられた蒸気排出ユニット３ｃとを備えている。蒸気排出ユニット３ｃは、図２に示す収納位置における第１可動テーブル３ａおよび第２可動テーブル３ｂを覆うように位置決めされている。
【００１８】
したがって、本実施形態の間仕切りカウンター１０では、図２の状態から第１可動テーブル３ａをキッチンに向かって引き出し（図３を参照）、引き出された第１可動テーブル３ａに例えばポット２１を載置し（図４を参照）、第１可動テーブル３ａを元の収納位置へ押し戻すことにより、ポット２１が収納される（図５を参照）。
【００１９】
同様に、本実施形態の間仕切りカウンター１０では、図２の状態から第２可動テーブル３ｂをダイニングからキッチンへの通路に向かって引き出し（図３を参照）、引き出された第２可動テーブル３ｂに例えば炊飯器２２を載置し（図４を参照）、第２可動テーブル３ｂを元の収納位置へ押し戻すことにより、炊飯器２２が収納される（図５を参照）。
【００２０】
収納位置に押し戻された第１可動テーブル３ａ上のポット２１および第２可動テーブル３ｂ上の炊飯器２２が電力の供給を受けて作動すると、ポット２１および炊飯器２２から蒸気が発生する。ポット２１および炊飯器２２から発生する蒸気は、その上方に設けられた蒸気排出ユニット３ｃを介して、効率的に外部へ排出される。なお、蒸気排出ユニット３ｃの詳細な構成および作用については、特開２００２−８１７１０号公報を参照することができる。
【００２１】
図６は、可動テーブルのスライド機構を概略的に説明する図であって、（ａ）は図２および図５に示す収納位置における可動テーブルの斜視図であり、（ｂ）は図３および図４に示す引き出し位置における可動テーブルの斜視図である。図７（ａ）は図６（ａ）の線Ａ−Ａに対応する断面図であり、図７（ｂ）は図６（ａ）の線Ｂ−Ｂに対応する断面図である。
【００２２】
図６および図７を参照すると、可動テーブル３ａ，３ｂの引き出し動作および押し戻し動作を円滑に行うためのスライド機構は、可動テーブル３ａ，３ｂの両側端に埋設されたＣ字状の断面形状を有するレール部材３１を備えている。また、可動テーブル３ａ，３ｂの奥側の位置には、レール部材３１の内側に円形状の本体部分を有するストッパー３２が可動テーブル３ａ，３ｂに固定的に取り付けられている（図７（ｂ）を参照）。
【００２３】
一方、ストッパー３２よりも前側の位置には、レール部材３１の内側に収容されて回転可能な回転子３３が設けられている。回転子３３は、可動テーブル３ａ，３ｂの両側端に対向する部材３４に取り付けられた軸部材３５を中心として回転可能に構成されている。こうして、レール部材３１と回転子３３との協働作用により、可動テーブル３ａ，３ｂの引き出し動作および押し戻し動作が円滑に行われる。また、ストッパー３２の作用により、可動テーブル３ａ，３ｂの過剰な引き出しおよび引き抜きが防止される。
【００２４】
以上のように、本実施形態では、第１可動テーブル３ａにポット２１を載置し、第２可動テーブル３ｂに炊飯器２２を載置すると、ポット２１にアクセスするために第１可動テーブル３ａをキッチンに向かって引き出しても、炊飯器２２にアクセスするために第２可動テーブル３ｂをダイニングからキッチンへの通路に向かって引き出しても、これらの引き出し動作がダイニングテーブルのレイアウトを実質的に制限することはない。
【００２５】
また、ダイニングからキッチンへの通路に向かって引き出し可能な第２可動テーブル３ｂに炊飯器２２を載置すると、食事中にダイニング側からキッチン側へ回り込まなくても、ダイニング側から直接（例えばダイニングテーブルに座ったまま）第２可動テーブル３ｂを引き出して炊飯器２２からご飯をよそうことができる。このように、本実施形態の間仕切りカウンター１０では、ダイニングテーブルのレイアウトを実質的に制限することなく、且つダイニング側から炊飯器２２へのアクセスが容易である。
【００２６】
また、本実施形態の間仕切りカウンター１０では、第１可動テーブル３ａと第２壁面Ｗ２との間に配置されてキッチン側からのみアクセス可能な収納部２を備えているので、収納部２の開閉動作がダイニングテーブルのレイアウトを制限することがなく、且つ炊飯器２２やポット２１のような家電機器以外のものを収納するための十分な空間を確保することができる。
【００２７】
なお、上述の実施形態において、ダイニングからキッチンへの通路に向かって引き出し可能な第２可動テーブル３ｂにポット２１を載置すれば、食事中にダイニング側からキッチン側へ回り込まなくてもダイニング側から直接第２可動テーブル３ｂを引き出してポット２１からお湯を取り出すことができる。
【００２８】
また、上述の実施形態では、可動テーブル３ａ，３ｂにポット２１や炊飯器２２のような家電機器を載置している。しかしながら、これに限定されることなく、可動テーブルに載置するもの、可動テーブルの構成、配置、引き出し方向などについて様々な変形例が可能である。
【００２９】
また、上述の実施形態では、キッチンとダイニングとの間に配置された間仕切りカウンターに対して本発明を適用している。しかしながら、これに限定されることなく、一般に第１室内空間と第２室内空間との間に配置されて間仕切り機能とカウンター機能とを併せ持つ間仕切りカウンターに対しても同様に本発明を適用することができる。
【図面の簡単な説明】
【００３０】
【図１】本発明の実施形態にかかる間仕切りカウンターがキッチンとダイニングとの間に配置されている様子を示す斜視図である。
【図２】本実施形態にかかる間仕切りカウンターの構成を概略的に示す斜視図である。
【図３】図２の状態から可動テーブルを引き出した様子を示す斜視図である。
【図４】図３の状態から可動テーブルに家電機器を載置した様子を示す斜視図である。
【図５】図４の状態から家電機器の載置された可動テーブルを元の収納位置へ押し戻した様子を示す斜視図である。
【図６】可動テーブルのスライド機構を概略的に説明する図であって、（ａ）は図２および図５に示す収納位置における可動テーブルの斜視図であり、（ｂ）は図３および図４に示す引き出し位置における可動テーブルの斜視図である。
【図７】（ａ）は図６（ａ）の線Ａ−Ａに対応する断面図であり、（ｂ）は図６（ａ）の線Ｂ−Ｂに対応する断面図である。
【符号の説明】
【００３１】
１  カウンター面
２  引き出し収納部
３  可動テーブル部
３ａ  第１可動テーブル
３ｂ  第２可動テーブル
３ｃ  蒸気排出ユニット
１０  間仕切りカウンター
２１  ポット
２２  炊飯器
【図１】
2007229022.tif 000003
【図２】
2007229022.tif 000004
【図３】
2007229022.tif 000005
【図４】
2007229022.tif 000006
【図５】
2007229022.tif 000007
【図６】
2007229022.tif 000008
【図７】
2007229022.tif 000009